(57)【要約】【課題】ユーザ自身にポーズを創造させ、より面白みのある撮影を提供できるようにする。【解決手段】撮影用モニタ２１には、被写体のポーズや表情を観念的に表す「お題」が文字情報として表示される。ユーザは、撮影が開始される前に表示される「お題」を確認し、その「お題」から連想されるポーズや表情を創造し、撮影の開始を指示する。その指示に応じて撮影が行われることにより、「お題」から連想される構図の写真が撮影される。撮影処理が終了されたときに開始される、画像の落書き処理においては、撮影した画像に対して、その画像を撮影するときに提示されていた「お題」に対応する文字が入力可能とされる。本発明は、写真シール自動販売機に適用することができる。【選択図】　　　図１
2004077582.tif 000002
【特許請求の範囲】
【請求項１】
撮影構図を観念的に表す題目を被写体に対して出力する出力手段と、
前記出力手段による出力により前記題目が与えられた前記被写体を撮影する撮影手段と
を備えることを特徴とする写真シール自動販売機。
【請求項２】
前記出力手段は、文字により、または音声により前記題目を出力する
ことを特徴とする請求項１に記載の写真シール自動販売機。
【請求項３】
所定の数の前記題目を不作為に選択する選択手段をさらに備え、
前記出力手段は、前記選択手段により選択された前記題目を出力する
ことを特徴とする請求項１または２に記載の写真シール自動販売機。
【請求項４】
複数の前記題目を表示する表示手段をさらに備え、
前記出力手段は、前記表示手段により表示された複数の前記題目の中から選択された題目を出力する
ことを特徴とする請求項１または２に記載の写真シール自動販売機。
【請求項５】
前記撮影手段により撮影された画像を落書きする落書き手段をさらに備え、
前記落書き手段は、落書き対象画像に対応する前記題目を表す情報を、前記落書き対象画像に入力する
ことを特徴とする請求項１乃至４のいずれかに記載の写真シール自動販売機。
【請求項６】
前記撮影手段により撮影された画像、または、前記落書き手段により落書きが施された画像をシール紙に印刷する印刷手段をさらに備え、
前記印刷手段は、印刷する画像の近傍に、印刷する前記画像に対応する前記題目を印刷する
ことを特徴とする請求項５に記載の写真シール自動販売機。
【請求項７】
撮影構図を観念的に表す題目を被写体に対して出力する出力ステップと、
前記出力ステップの処理による出力により前記題目が与えられた前記被写体を撮影する撮影ステップと
を含むことを特徴とする写真シール自動販売機における写真撮影方法。
【請求項８】
撮影構図を観念的に表す題目を被写体に対して出力する出力ステップと、
前記出力ステップの処理による出力により前記題目が与えられた前記被写体を撮影する撮影ステップと
を含む写真シール自動販売機における写真撮影方法により印刷されることを特徴とするシール紙。
【請求項９】
撮影構図を観念的に表す題目を被写体に対して出力する出力手段と、
前記出力手段による出力により前記題目が与えられた前記被写体を撮影する撮影手段と
を備える写真シール自動販売機において使用されるシール紙ユニットであって、
前記シール紙ユニットを識別する識別情報を記憶する識別情報記憶手段を備え、
前記識別情報記憶手段により記憶されている前記識別情報が前記写真シール自動販売機により認証されたとき使用可能とされる
ことを特徴とするシール紙ユニット。
【発明の詳細な説明】
【０００１】
【発明の属する技術分野】
本発明は、特に、ユーザ自身に撮影構図を創造させ、より面白みのある撮影を提供できるようにする写真シール自動販売機および方法、シール紙、並びにシール紙ユニットに関する。
【０００２】
【従来の技術】
従来、ユーザの画像を撮影し、これを予め用意されたフレーム画像と合成してシール紙などに印刷して提供する、いわゆる「プリント倶楽部（登録商標）」などの写真シール自動販売機が知られている。
【０００３】
そして、一般的な写真シール自動販売機においては、ユーザは、音声により出力されたり、或いは、画面上に表示される「５，４，３，２，１」などのカウントダウンに併せて自分自身のポーズや表情を整え、撮影を行う。
【０００４】
【発明が解決しようとする課題】
しかしながら、このような従来の写真シール自動販売機による撮影は、所定の合図があってから撮影が行われるという点においては、撮影者（人）による「はいポーズ。」などの合図に併せて行う人的な撮影と変わるところはなく、撮影自体の面白みが欠けるという課題があった。
【０００５】
また、このような写真シール自動販売機は、通常、複数人からなるグループにより利用されるが、例えば、ある「テーマ」に基づいて各人がポーズをとり、グループ全員のポーズにより統一のある１つの写真を撮影しようとした場合、始めに、グループのうちの誰かがテーマを提案しなければならず、それを決めるのに時間がかかってしまい、撮影に対して設定されている制限時間を浪費してしまうことがあるという課題があった。
【０００６】
本発明はこのような状況に鑑みてなされたものであり、ユーザ自身に撮影構図を創造させ、より面白みのある撮影を提供できるようにするものである。
【０００７】
【課題を解決するための手段】
本発明の写真シール自動販売機は、撮影構図を観念的に表す題目を被写体に対して出力する出力手段と、出力手段による出力により題目が与えられた被写体を撮影する撮影手段とを備えることを特徴とする。
【０００８】
ここで、撮影構図とは、撮影された写真に写っている被写体としてのユーザの姿勢やポーズ、或いは、表情などを表す。また、複数人のユーザにより利用される場合、それぞれのユーザの立ち位置なども表す。
【０００９】
出力手段は、文字により、または音声により題目を出力するようにすることができる。
【００１０】
所定の数の題目を不作為に選択する選択手段をさらに備えるようにすることができる。このとき、出力手段は、選択手段により選択された題目を出力する。
【００１１】
これにより、意外性のある題目が選択されることになり、その題目から連想されるポーズや表情を創造するのが困難となり、撮影自体にゲーム性が付加されることになる。
【００１２】
複数の題目を表示する表示手段をさらに備えるようにすることができる。このとき、出力手段は、表示手段により表示された複数の題目の中から選択された題目を出力する。
【００１３】
撮影手段により撮影された画像を落書きする落書き手段をさらに備えるようにすることができる。このとき、落書き手段は、落書き対象画像に対応する題目を表す情報を、落書き対象画像に入力する。
【００１４】
撮影手段により撮影された画像、または、落書き手段により落書きが施された画像をシール紙に印刷する印刷手段をさらに備えるようにすることができる。このとき、印刷手段は、印刷する画像の近傍に、印刷する画像に対応する題目を印刷する。
【００１５】
これにより、ユーザは、後日、シール紙を確認した場合であっても、それぞれの画像を撮影するときに提供されていた題目を思い出すことができる。
【００１６】
本発明の写真シール自動販売機における写真撮影方法は、撮影構図を観念的に表す題目を被写体に対して出力する出力ステップと、出力ステップの処理による出力により題目が与えられた被写体を撮影する撮影ステップとを含むことを特徴とする。
【００１７】
本発明の写真シール自動販売機および方法においては、撮影構図を観念的に表す題目が被写体に対して出力され、題目が与えられた被写体が撮影される。
【００１８】
従って、本発明によれば、被写体としてのユーザは、題目から自分自身のポーズや表情を創造する必要があるため、撮影自体のゲーム性が付加され、より面白みのある撮影を提供することができる。
【００１９】
また、複数人のグループにより撮影を行う場合、グループ間で、ポーズや表情についての会話がもたれることが予想されるため、題目の提示は、コミュニケーションをとるきっかけを提供することにもなる。
【００２０】
さらに、ある「テーマ」に基づいて各人がポーズをとり、グループ全員のポーズにより統一のある１つの写真を撮影する場合、題目が提供されるため、その「テーマ」を考える手間を省くことができる。
【００２１】
本発明のシール紙は、撮影構図を観念的に表す題目を被写体に対して出力する出力ステップと、出力ステップの処理による出力により題目が与えられた被写体を撮影する撮影ステップとを含む写真シール自動販売機における写真撮影方法により印刷されることを特徴とする。
【００２２】
本発明のシール紙ユニットは、撮影構図を観念的に表す題目を被写体に対して出力する出力手段と、出力手段による出力により題目が与えられた被写体を撮影する撮影手段とを備える写真シール自動販売機において使用されるものであって、シール紙ユニットを識別する識別情報を記憶する識別情報記憶手段を備え、識別情報記憶手段により記憶されている識別情報が写真シール自動販売機により認証されたとき使用可能とされることを特徴とする。
【００２３】
識別情報記憶手段は、例えば、ＩＣタグ（制御タグ）、ＩＣカード等のメモリにより構成され、識別情報としての固有のＩＤを記憶する。
【００２４】
このように、識別情報が認証されたときにのみシール紙ユニットが使用可能とされることにより、本発明の写真シール自動販売機に対して生産されたユニットのみが使用可能となり、いわゆる純正品以外のものが使用されることを抑制することができる。また、シール紙ユニットにバーコードなどが付されている場合、そのバーコードにより、純正品であるか否かを判断させるようにしてもよい。
【００２５】
【発明の実施の形態】
図１は、本発明を適用した写真シール自動販売機１の構成例を示す斜視図である。
【００２６】
写真シール自動販売機１は、基本的に、筐体１１、照明装置１２、および、反射板１３−１，１３−２により構成される。後述するように、筐体１１に対して所定の間隔だけ離間して背景パネル６１（図３参照）が設けられ、筐体１１と背景パネル６１との間の空間が、被写体としてのユーザが撮影を行う撮影空間６２（図３参照）とされる。
【００２７】
撮影空間６２を正面に臨み、筐体１１の上半分に形成される面１１ａには、ＬＣＤ（Ｌｉｑｕｉｄ　Ｃｒｙｓｔａｌ　Ｄｉｓｐｌａｙ）やＣＲＴ（Ｃａｔｈｏｄｅ−Ｒａｙ　Ｔｕｄｅ）などにより構成される撮影用モニタ２１が設けられている。撮影用モニタ２１には、撮影処理の進行段階に応じて、撮影方法などを案内する各種のメッセージなどが表示される。また、撮影用モニタ２１には、所定の撮影モードが選択されたとき、撮影時のユーザのポーズや表情、或いは姿勢を観念的に表す、換言すれば、撮影構図を観念的に表す「お題」（題目）が表示されるため、ユーザは、それを確認した後、お題から連想されるポーズや表情を自ら想像し、想像したポーズや表情をしている自分自身の写真（画像）を撮影する。表示されるお題に従って行われる撮影処理の詳細については、フローチャートを参照して後述する。
【００２８】
撮影用モニタ２１には、撮影結果の画像が表示されるため、ユーザは、表示される画像の中から、落書き（編集）対象の画像を選択することができる。後述するように、ユーザは、撮影を終了した後、写真シール自動販売機１の裏側（筐体１１を挟んで、撮影空間６２の反対側）に移動し、撮影された画像に対して好みの文字や図形などを入力し、落書きすることができる。
【００２９】
撮影用モニタ２１の直上方には、筐体１１の内部方向に向けて凹部が形成され、その凹部に撮影部２２が配設されている。撮影部２２は、ＣＣＤ（Ｃｈａｒｇｅ　ＣｏｕｐｌｅｄＤｅｖｉｃｅ）２２Ａと、その直下にある、ＬＣＤなどの画像表示部２２Ｂから構成されている。ＣＣＤ２２Ａと画像表示部２２Ｂが設置されている面（凹部の内部に形成されている面）は、ユーザの立ち位置（面１１ａ，１１ｂの前方）付近の全体がＣＣＤ２２Ａにより上方から俯瞰して撮影できるように、または、画像表示部２２Ｂに表示される画像をユーザが確認できるように、前傾した斜面により形成されている。
【００３０】
撮影部２２に配置されるＣＣＤ２２Ａにより被写体の画像が取り込まれ、その画像（動画像）がリアルタイムで画像表示部２２Ｂに表示される。また、所定の撮影タイミングにおいて、ＣＣＤ２２Ａによる撮影が行われ、ユーザの画像が静止画像として写真シール自動販売機１に保存される。画像表示部２２ＢがＣＣＤ２２Ａの近傍に設けられているため、ユーザは、ＣＣＤ２２Ａに視線を向けた状態で、画像表示部２２Ｂに表示される自分自身の画像を確認しながら、撮影を行うことができる。
【００３１】
筐体１１には、撮影用モニタ２１を挟んで左右一対の照明装置２３−１，２３−２が設けられており、これにより、撮影空間６２においてユーザが撮影を行うのに必要な明かりが照射されている。例えば、照明装置２３−１を構成する透過面２３−１ａ，２３−１ｂは薄板状の半透明の樹脂等からなり、照明装置２３−１により筐体１１の内部において発光された光は、透過面２３−１ａおよび２３−１ｂを透過して外部に出射される。
【００３２】
透過面２３−１ａは、面１１ａと接する辺からその対辺に向かうにつれて徐々に筐体１１の裏側面（面１１ｅ，１１ｆ（図２））に向かうように形成されており、筐体１１の内部から透過面２３−１ａを介して出射された光が、撮影空間６２の左隅まで均一に届くようになされている。透過面２３−１ｂは、筐体１１の左側面１１ｃとほぼ同一平面上に形成され、そこを透過して出射された光が、反射板１３−１の撮影空間６２に向かう反射面１３−１ａにより反射され、撮影空間６２の内部を照射する。
【００３３】
照明装置２３−２は、照明装置２３−１と対称に同様の構成を有しており、透過面２３−２ａを介して出射された光が撮影空間６２の右隅まで均一に届くように形成されている。また、照明装置２３−１の透過面２３−１ｂに対応する照明装置２３−２の位置には、筐体１１の右側面１１ｄとほぼ同一平面上に透過面が形成されており、そこから出射された光が、反射板１３−２の反射面１３−２ａにより反射され、撮影空間６２を照射する。
【００３４】
反射板１３−１の反射面１３−１ａ、反射板１３−２の反射面１３−２ａは、照明装置２３−１および２３−２から出射された光をそれぞれ効率的に撮影空間６２に反射できるように、白色などの単一色の面とされる。
【００３５】
筐体１１の正面のほぼ下半分に形成される面１１ｂには、筐体１１の内部方向に凹部が形成され、そこに、撮影部２２と同様に撮影部２４が配設されている。すなわち、撮影部２４は、ＣＣＤ２４Ａと、ＣＣＤ２４Ａにより取り込まれている動画像が表示される画像表示部２４Ｂから構成され、それらが配置される面（凹部の内部に形成されている面）は、若干上方を向くような斜面とされている。従って、ＣＣＤ２４Ａにより、被写体を斜め下方から見上げるような写真（画像）が撮影されることになる。
【００３６】
このように、様々な角度から被写体を撮影できる撮影部を設けることにより、ユーザは、自分自身で撮影装置の角度を調節することなく、様々な角度から撮影することができる。
【００３７】
撮影部２４の直右側には、硬貨投入口２５が設けられている。ユーザは、写真シール自動販売機１を利用して撮影するとき、所定の代金を硬貨投入口２５に投入する。
【００３８】
筐体１１の面１１ｂには、撮影部２４と硬貨投入口２５を挟んで左右一対の照明装置２６−１，２６−２が設けられており、これにより、筐体１１の前方に位置するユーザの足下が照射される。例えば、照明装置２６−１を構成する透過面２６−１ａ，２６−１ｂは、照明装置２３−１と同様に、薄板状の半透明の樹脂等からなり、照明装置２６−１により発光された光は、透過面２６−１ａおよび２６−１ｂを透過して外部に出射される。
【００３９】
透過面２６−１ａを透過して出射された光は、そのままユーザの足下付近を照射し、左側面１１ｃとほぼ同一平面上に形成されている透過面２６−１ｂを透過して出射された光は、反射板１３−１の反射面１３−１ａにより反射され、撮影空間６２の内部下方を照射する。照明装置２６−２は、照明装置２６−１と対称に同様の構成を有しており、透過面２６−２ａを透過する光により直接ユーザの足下付近を照射し、また、右側面１１ｄとほぼ同一平面上に、照明装置２６−１の透過面２６−１ｂと同様に形成されている透過面を透過し、反射板１３−２の反射面１３−２ａにより反射された光により撮影空間６２の内部下方を照射する。
【００４０】
筐体１１の上面に設置されている照明装置１２は、内部において発光され、その一面（図示されていないが、面１２ａに対向する照明装置１２の面）を透過する光がユーザを斜め上方から照射するように形成されている。この照明装置１２と、上述した照明装置２３−１，２３−２、照明装置２６−１，２６−２は、ＣＣＤ２２ＡまたはＣＣＤ２４Ａと連動して作動され、撮影する瞬間の被写体に十分な光を照射する。
【００４１】
左側面１１ｃの下方には、シール取り出し口４１が設けられている。撮影され、落書きされた画像が１枚のシール紙に所定の数だけそれぞれ所定の大きさで印刷され、得られたシール紙がシール取り出し口４１から排出される。
【００４２】
なお、筐体１１の右前方（筐体１１に対向するユーザの右側）に設置される右側面パネル６５−２（図４）の所定の高さの位置には、リモートコントローラ６６（図４）が設置される。ユーザは、撮影用モニタ２１に表示される進行案内に従ってリモートコントローラ６６に設けられている各種のボタンを操作し、撮影処理を進行する。すなわち、ユーザは、筐体１１に近づかなくても、リモートコントローラ６６を操作して撮影を進めることができる。リモートコントローラ６６から入力された各種の情報は、床材６７（図３）の下にあるケーブルを介して写真シール自動販売機１に供給される。
【００４３】
リモートコントローラ６６には、例えば、撮影用モニタ２１に表示される各種の選択に対して、決定するときに操作される「○ボタン」、決定したものをキャンセルするときに操作される「×ボタン」、撮影用モニタ２１に表示されるカーソルなどを上下左右に移動するときに操作される「矢印ボタン（上下左右ボタン）」などが配置される。また、そのほかにも、撮影を開始するとき操作される「撮影開始ボタン」なども適宜配置される。なお、撮影用モニタ２１の近傍にタッチペンが用意されており、タッチペンにより撮影用モニタ２１に表示される各種のボタンなどを直接押下することで、撮影が進行されるようにしてもよい。
【００４４】
図２は、写真シール自動販売機１の面１１ａ，１１ｂの反対側に相当する、面１１ｅ，１１ｆ側の構成例を示す斜視図である。
【００４５】
なお、以下において、適宜、面１１ａ，１１ｂが形成されている面を写真シール自動販売機１の正面として説明し、面１１ａ，１１ｂの反対側に相当する、面１１ｅ，１１ｆが設けられている面を写真シール自動販売機１の背面として説明する。
【００４６】
筐体１１のほぼ上半分に形成される斜面１１ｅには、落書き用モニタ５１−１および５１−２が水平方向に並置されている。落書き用モニタ５１−１の下には収納部５２−１が設けられ、そこに、落書き用モニタ５１−１に直接押し当てることで画像を落書きするための入力ペン５３−１が収納される。同様に、落書き用モニタ５１−２の下には収納部５２−２が設けられ、そこに、落書き用モニタ５１−２に直接押し当てることで画像を落書きするための入力ペン５３−２が収納される。
【００４７】
撮影され、落書き対象の画像として選択された画像は、撮影処理が終了された後、落書き用モニタ５１−１および５１−２にそれぞれ表示される。落書き用モニタ５１−１および５１−２には、タッチパネルが積層されており、ユーザは、表示されている画像に対し、任意の文字や図形などを、入力ペン５３−１および５３−２を利用して書き込む（入力する）ことができる。
【００４８】
落書き用モニタ５１−１および５１−２には、落書き対象の画像とともに、様々な落書きツールを選択するためのボタンが表示される。そして、そのボタンが操作され、画像が落書きされたとき（編集が施されたとき）、落書き用モニタ５１−１および５１−２には、入力に応じて生成された落書き済みの画像が表示される。
【００４９】
入力ペン５３−１および５３−２は、落書き用モニタ５１−１および５１−２に積層されるタッチパネルの位置検出方式（例えば、抵抗膜式、超音波式など）に応じて構成される。
【００５０】
図３は、写真シール自動販売機１の配置の例を、その左側面から示す図である。
【００５１】
撮影空間６２の上方は、全体的に天井部材６３により覆われている。また、撮影空間６２の左側面のうち、背景パネル６１寄りの後半分が全体的に左側面パネル６５−１により覆われ、右側面のうち、背景パネル６１寄りの後半分が全体的に右側面パネル６５−２（図４）により覆われている。
【００５２】
撮影空間６２の左側面のうち、前半分は、天井部材６３から所定の長さだけ下方へ伸びる開閉式のカーテン６４−１によって覆われている。すなわち、ユーザは、カーテン６４−１を開けて撮影空間６２内に入った後、カーテン６４−１を閉め、撮影を行う。撮影を終了した後、ユーザは、再び、カーテン６４−１を開けて撮影空間６２から出て、落書き空間７３となる落書き用モニタ５１−１，５１−２の前に移動することになる。
【００５３】
以上のようにして構成される撮影空間６２の内部（背景パネル６１、天井部材６３、側面パネル６５−１，６５−２等の内側）は、撮影された画像から、ユーザの領域のみをいわゆるクロマキ処理により抽出できるように、例えば、白色や青色などの単一色の面とされる。
【００５４】
撮影を終了した後に移動し、画像の落書きを行う空間として、面１１ｅ，１１ｆに臨む位置に落書き空間７３が設けられている。落書き空間７３には、その内部が外部から覗かれるのを防止すべく、カーテンフレーム７１に開閉自在なカーテン７２−１が取り付けられている。カーテン７２−１は、左側面１１ｃと略同一平面上に設けられ、カーテン７２−２は、面１１ｅに対向して、所定の距離だけ離間して設けられる。なお、この例においては、カーテンフレーム７１は、天井部材４３とほぼ同一平面上に設けられている。
【００５５】
図４は、写真シール自動販売機１の配置の例を、その上方から示す図である。
【００５６】
図４を参照し、撮影を開始してからシール紙を受け取るまでのユーザの移動について説明する。
【００５７】
ユーザは、写真シール自動販売機１を利用するとき、白抜き矢印Ａ１で示されるように撮影空間６２に入場し、撮影処理を行う。例えば、撮影空間６２が先に使用されているとき、写真シール自動販売機１を次に利用するユーザは、例えば、左側面パネル６５−１の前方の順番待ち空間７４において、撮影空間６２が空くのを待機することになる。
【００５８】
所定の数の画像を落書き対象の画像として選択し、撮影を終えたとき、ユーザは、例えば、白抜き矢印Ａ２で示されるようにして撮影空間６２から退場し、写真シール自動販売機１の背面側に設けられる落書き空間７３に移動する。
【００５９】
このとき、順番待ち空間７４において順番待ちをしていたユーザ（撮影空間６２が空くのを待機していたユーザ）は、撮影空間６２を先に使用していたユーザのグループが落書き空間７３に移動することに応じて、撮影空間６２に入場する。
【００６０】
上述したように、落書き空間７３から確認できる落書き用モニタ５１−１および５１−２には、撮影空間６２において撮影し、選択した画像が表示されるため、ユーザは、それに対して落書きを施す。ユーザは、落書きを終えたとき、次に、写真シール自動販売機１の左側面１１ｃに臨む場所である印刷待ち空間７５に白抜き矢印Ａ３で示されるようにして移動し、落書きした画像がシール紙にプリントされ、排出されるまで待機する。
【００６１】
そして、シール取り出し口４１にシール紙が排出されたとき、ユーザは、それを受け取り、写真シール自動販売機１の利用を終える。これらの移動の案内は、撮影用モニタ２１、落書き用モニタ５１−１および５１−２、または図示せぬスピーカなどにより行われる。
【００６２】
このように、撮影を行う空間、落書きを施す空間、印刷が終了するのを待機する空間を、写真シール自動販売機１の異なる面の前方にそれぞれ設けることにより、撮影処理、落書き処理、印刷処理を併行して実行させることができ、これらの処理を１つの空間で実行させる場合に較べて、写真シール自動販売機１を利用する顧客の回転率を向上させることができる。また、撮影処理に要する時間、落書き処理に要する時間等をそれぞれのユーザに対して長く確保し、設定することができる。
【００６３】
図５は、写真シール自動販売機１の内部の構成例を示すブロック図である。上述したものと同様の構成について、その詳細な説明は適宜省略する。
【００６４】
制御装置９１は、パーソナルコンピュータなどにより構成され、写真シール自動販売機１の全体の動作を制御する。具体的には、制御装置９１に設けられているＣＰＵ（Ｃｅｎｔｒａｌ　Ｐｒｏｃｅｓｓｉｎｇ　Ｕｎｉｔ）１３１により、ＲＯＭ（Ｒｅａｄ　Ｏｎｌｙ　Ｍｅｍｏｒｙ）１３２やハードディスクなどにより構成される記憶部１３６（いずれも図６）に記憶されているプログラムに基づく処理が実行される。
【００６５】
硬貨処理部９２は、ユーザにより所定の代金が硬貨投入口２５に投入されたとき、それを検出し、制御装置９１に通知する。照明制御部９３は、撮影部２２または撮影部２４により被写体が撮影されるタイミングに併せて、制御装置９１からの指示に基づいてフラッシュ光を出射する。出射されたフラッシュ光は、図１の照明装置１２の透過面、透過面２３−１ａ，２３−１ｂ、透過面２３−２ａ，２３−２ｂ、透過面２６−１ａ，２６−１ｂ、透過面２６−２ａ，２６−２ｂを介して被写体（ユーザ）を照射する。
【００６６】
落書き用モニタ５１−１にはタッチパネル９４−１が、落書き用モニタ５１−２にはタッチパネル９４−２がそれぞれ積層されている。タッチパネル９４−１および９４−２は、入力ペン５３−１および５３−２により入力されたユーザからの指示を制御装置９１に出力する。
【００６７】
プリンタユニット９５は、プリンタ部１１１と制御タグリーダライタ１１２により構成され、プリンタユニット９５に装着されるシール紙ユニット９６は、シール紙１２１と、個々のシール紙ユニット９６を識別する識別情報等を管理する制御タグ１２２により構成される。
【００６８】
プリンタ部１１１は、落書きが施された画像のデータが制御装置９１から供給されたとき、供給された画像データにより表される画像を、ユーザにより選択された分割数に従って、シール紙１２１に印刷し、シール紙１２１をシール取り出し口４１に排出する。
【００６９】
制御タグリーダライタ１１２は、制御タグ１２２に記憶されている識別情報を接触または非接触により読み出し、制御装置９１に出力する。制御装置９１は、制御タグリーダライタ１１２から供給された識別情報に基づいて、装着されているシール紙ユニット９６が、写真シール自動販売機１において利用可能なユニットであるか否かを判定し、利用可能なユニットであると判定したときにのみ、プリンタ部１１１を動作可能にする。すなわち、制御装置９１により、写真シール自動販売機１において利用可能とされるシール紙ユニットの識別情報が管理されている。
【００７０】
これにより、写真シール自動販売機１に対応していない（純正のものでない）シール紙が利用されるのを抑制することができる。また、制御タグ１２２により、シール紙１２１の残量等も管理される。なお、シール紙ユニット９６が純正のものであるか否かを、シール紙ユニット９６にプリントされているバーコードなどにより確認させるようにしてもよい。
【００７１】
図６は、図５の制御装置９１の詳細な構成例を示すブロック図である。
【００７２】
ＣＰＵ１３１は、ＲＯＭ１３２に記憶されているプログラム、または、記憶部１３６からＲＡＭ（Ｒａｎｄｏｍ　Ａｃｃｅｓｓ　Ｍｅｍｏｒｙ）１３３にロードされたプログラムに従って各種の処理を実行する。ＲＡＭ１３３にはまた、ＣＰＵ１３１が各種の処理を実行する上において必要なデータなどが適宜記憶される。
【００７３】
ＣＰＵ１３１、ＲＯＭ１３２、およびＲＡＭ１３３は、バス１３４を介して相互に接続されている。バス１３４にはまた、入出力インタフェース１３５も接続されている。
【００７４】
入出力インタフェース１３５には、図５に示される、撮影用モニタ２１、撮影部２２，２４、落書き用モニタ５１−１および５１−２（落書き用モニタ５１）、リモートコントローラ６６、硬貨処理部９２、照明制御部９３、タッチパネル９４−１および９４−２（タッチパネル９４）、およびプリンタユニット９５が接続されている。
【００７５】
記憶部１３６は、ＣＰＵ１３１により実行されるプログラムの他、撮影部２２，２４により撮影された画像と合成する背景画像のデータや、撮影して得られた画像のデータなどを記憶する。撮影処理においては、所定の回数だけ撮影を行うことができるようになされており、記憶部１３６には、撮影回数に対応する数の画像のデータが記憶される。
【００７６】
入出力インタフェース１３５にはまた、必要に応じてドライブ１３７が接続され、磁気ディスク１５１、光ディスク１５２、光磁気ディスク１５３、或いは半導体メモリ１５４などが適宜装着され、それらから読み出されたコンピュータプログラムや背景画像データが必要に応じて記憶部１３６に保存される。
【００７７】
次に、写真シール自動販売機１の処理について、フローチャートを参照して説明する。
【００７８】
始めに、図７のフローチャートを参照して、写真シール自動販売機１を利用する顧客（ユーザ）に応対する、写真シール自動販売機１の全体の処理について説明する。
【００７９】
ステップＳ１において、制御装置９１のＣＰＵ１３１は、硬貨処理部９２からの出力に基づいて、代金が投入されたか否か、すなわち、撮影を開始するユーザがいるか否かを判定し、代金が投入されたと判定するまで待機する。
【００８０】
ＣＰＵ１３１は、ステップＳ１において、代金が投入されたと判定した場合、ステップＳ２に進み、撮影空間６２における撮影処理を実行する。すなわち、予め設定されている回数だけ撮影が繰り返し行われ、得られた画像の中から、落書きする画像が選択されたとき、撮影処理が終了される。ステップＳ２において実行される撮影処理については、図８乃至図１１のフローチャート、および、図１２乃至図２８の撮影用モニタ２１の表示例を参照して後に詳述する。
【００８１】
ステップＳ３において、ＣＰＵ１３１は、ユーザからの入力に応じて、撮影した画像を編集する落書き処理を実行する。ステップＳ３において実行される落書き処理については、図２９のフローチャートを参照して後に詳述する。
【００８２】
ＣＰＵ１３１は、ステップＳ４において、落書き処理により落書きされ、生成された落書き画像の画像データをプリンタユニット９５のプリンタ部１１１に転送し、印刷させる。そして、印刷処理が終了されたとき、ステップＳ１に戻り、以上の処理が繰り返し実行される。
【００８３】
なお、図７に示される処理は、記載された順序に従って時系列的に行われるだけでなく、そのときの写真シール自動販売機１の利用状況に応じて並列的にも行われる。例えば、第１のユーザが撮影空間６２において撮影を終了させ、落書き空間７３に移動した直後に、第２のユーザが撮影空間６２において撮影を開始した場合、図７のステップＳ２の撮影処理（第２のユーザの処理）とステップＳ３の落書き処理（第１のユーザの処理）が並列して行われることになる。同様に、撮影処理、落書き処理、および、ステップＳ４における印刷処理のそれぞれが状況に応じて並列して行われる。
【００８４】
次に、図８乃至図１１のフローチャートを参照して、図７のステップＳ２において実行される撮影処理の詳細について説明する。
【００８５】
ステップＳ１１において、ＣＰＵ１３１は、お題撮影を行うか否かを選択する画面を撮影用モニタ２１に表示する。ここで、「お題撮影」とは、撮影用モニタ２１に表示される、ユーザのポーズ（姿勢）や表情を観念的に表す「お題」をユーザに提示し、お題から連想されるポーズや表情をしているユーザを撮影する撮影モードをいう。従って、お題撮影により撮影することを選択した場合、ユーザは、撮影毎に提示される１つのお題から自分自身のポーズや表情を創造する必要がある。このお題の提示は、撮影用モニタ２１に文字により表示するようにしてもよいし、図示せぬスピーカから音声で出力されるようにしてもよい。勿論、その両方によりユーザにお題が提示されるようにしてもよい。
【００８６】
図１２は、ステップＳ１１において表示される画面の例を示す図である。
【００８７】
図１２の表示例においては、画面の上方に「あなたは写真を撮る時いつも同じポーズになってしまう？」のメッセージが表示され、この質問に対してボタンを操作することにより、お題撮影を行うか否かを選択できるようになされている。
【００８８】
画面のほぼ中央には、お題撮影を行わない、すなわち「ノーマル撮影」を行うとき選択されるＮＯボタン２１１と、「お題撮影」を行うとき選択されるＹＥＳボタン２１２が表示されている。また、画面の下方にある説明表示領域２１３には、リモートコントローラ６６に設けられている上下ボタンを操作してＮＯボタン２１１とＹＥＳボタン２１２のいずれかカーソル２１５により選択し、続いて、赤ボタンを操作することでお題撮影を行うか否かを選択できることが表示されている。
【００８９】
また、画面の右上方には制限時間表示領域２１４が表示されており、「お題撮影」を行うか否かを選択する制限時間として「００２秒」が表示されている。仮に、この制限時間が経過した場合（制限時間の残り時間が０秒になった場合）、そのときカーソル２１５により選択されているモードに従って強制的に撮影が開始される。
【００９０】
図１２に示されるような案内画面を表示し、最初に利用者に問いかけることにより、全ての利用者がポーズを誘導しての撮影を好むかどうか分からないため、利用者に選択させることができ、幅広い利用者の満足度を得ることができる。また、「あなたは写真を撮る時いつも同じポーズになってしまう？」のメッセージにより、アンケート形式で、かつ、利用者の核心をつく意味ありげな表現で通常の撮影またはお題撮影を選択させることで、利用者に、一体これからどんな遊びをするのかという期待感や意外感を与えることができるとともに、選択内容についてより鮮明に認識させることができるため、誤操作を防ぐことができる。
【００９１】
図８の説明に戻り、ステップＳ１２において、ＣＰＵ１３１は、リモートコントローラ６６からの出力に基づいて、お題撮影を行うことが選択されたか否かを判定し、図１２に示される画面においてＮＯボタン２１１が操作されたため、お題撮影を行うことが選択されていないと判定した場合、それ以降、ノーマル撮影モードに従って撮影を行う。すなわち、撮影用モニタ２１には、「お題」が表示されずに、ユーザは、自分の好みのポーズや表情で撮影を行うことになる。ノーマル撮影モードによる撮影処理については後述する。
【００９２】
一方、ステップＳ１２において、ＣＰＵ１３１は、お題撮影を行うことが選択されたと判定した場合、すなわち、図１２に示される画面においてＹＥＳボタン２１２が操作されたと判定した場合、ステップＳ１３に進み、熟練度に応じたコースをユーザが選択するコース選択画面を撮影用モニタ２１に表示する。
【００９３】
この例においては、始めに「お題撮影」の進め方を説明する説明画面が表示され、その後、お題撮影が開始される「初心者コース」と、写真シール自動販売機１により不作為（ランダム）に自動的に選択された「お題」がユーザに提示され、そのお題に従って撮影が行われる「中級者コース」と、ユーザが自ら「お題」を指定でき、提示されるお題に従って撮影が行われる「上級者コース」の３種類のコースが設定されている。
【００９４】
従って、ユーザは、自分自身の熟練の程度に応じて、好みのコースを選択してお題撮影を行うことができる。
【００９５】
図１３は、お題撮影のコース選択画面の表示例を示す図である。
【００９６】
図１３に示される例においては、題目に合わせて撮影ポーズを利用者に案内する手段として、画面の上方に「そんなあなたへ「お題」を出すからそれに合わせてポーズをとってね！」のメッセージが表示されており、その下に、「初心者コース」を選択するとき操作される初心者コースボタン２２１、「中級者コース」を選択するとき操作される中級者コースボタン２２２、「上級者コース」を選択するとき操作される上級者コースボタン２２３が表示されている。
【００９７】
ユーザは、説明表示領域２１３に表示されている説明に従って、カーソル２２４を移動させ、自分自身の熟練の程度に応じたコースを選択する。
【００９８】
なお、図１３に示される初心者コースボタン２２１には「おしえてお題」の文字が、中級者コースボタン２２２には「おまかせお題」の文字が、上級者コースボタン２２３には「えらべるお題」の文字がそれぞれ表示されている。また、説明表示領域２１３に表示されている、コースの選択に対して設定されている残りの制限時間は「００９秒」とされている。
【００９９】
ＣＰＵ１３１は、ステップＳ１４において、初心者コースが選択されたか否か、すなわち、図１３に示される画面において、初心者コースボタン２２１が操作されたか否かを判定し、初心者コースが選択されたと判定した場合、ステップＳ１５に進み、お題撮影の説明画面を表示する。
【０１００】
図１４は、ステップＳ１５において表示される画面の例を示す図である。
【０１０１】
図１４に示される画面の例においては、画面の上方に「こんな風に、お題に合わせてポーズしてね！落書きをするともっと楽しくなるよ！」のメッセージが表示されており、その下に、お題撮影により撮影された画像の例としてのサンプル画像Ｇ１が表示されている。また、サンプル画像Ｇ１の直左方には、お題「アイドルソング」が表示されており、サンプル画像Ｇ１の被写体のポーズや表情は、「アイドルソング」のお題から連想されるポーズや表情により撮影されたものとされている。
【０１０２】
サンプル画像Ｇ１には、ハートの図形が複数表示されているが、これは、撮影後に行われる落書きにより入力することが可能な画像の例を表している。
【０１０３】
図１４の例において、サンプル画像Ｇ１の直右方には、１つのお題毎に、上カメラ（ＣＣＤ２２Ａ）と下カメラ（ＣＣＤ２４Ａ）によりそれぞれ撮影が行われることが表示されている。従って、ユーザは、１つのお題から連想される自分自身のポーズや表情を、それぞれ異なる角度から合計２回撮影することができる。
【０１０４】
このように、「初心者コース」を選択した場合、お題撮影の説明が表示されるため、写真シール自動販売機１を初めて利用するユーザであっても、提示されるお題に戸惑うことなく、撮影を進めることができる。
【０１０５】
また、お題に対応したサンプル画像が表示されるため、視覚的に、ユーザにサンプルのポーズを提示することができる。また、画像だけでなく、「お題」を表す文字が表示されるため、サンプル画像の背景にある本来のお題の意味を理解しようとするユーザの行為を喚起することになり、ユーザの創造心をくすぐることができる。
【０１０６】
ステップＳ１６において、ＣＰＵ１３１は、撮影を開始するか否かを判定し、撮影を開始することが指示されたと判定するまで、お題撮影の説明画面を表示し続ける。例えば、図１４の説明表示領域２１３には、リモートコントローラ６６の赤ボタンを操作することにより、撮影を開始させることができることが表示されており、ＣＰＵ１３１は、ステップＳ１６において、この赤ボタンが操作されたとき、または、説明画面を表示する制限時間が経過したとき（図１４の制限時間表示領域２１４には、制限時間が「００９秒」とされている）、撮影を開始することが指示されたと判定し、ステップＳ１７に進み、お題を選択する。
【０１０７】
例えば、予め登録されている複数のお題の中から１つのお題が選択され、ステップＳ１８において、選択されたお題と、ＣＣＤ２２Ａにより取り込まれている動画像（リアルビュー）が表示される撮影画面が撮影用モニタ２１に表示される。ＣＣＤ２２Ａにより取り込まれている動画像（リアルビュー）は、ＣＣＤ２２Ａの近傍に設置されている画像表示部２２Ａにも表示される。
【０１０８】
図１５は、ステップＳ１８において表示される撮影画面の例を示す図である。
【０１０９】
撮影画面の上方に設定されているお題表示領域２３１には、ステップＳ１７において選択されたお題（「アイドルソング」）が表示されており、その下に設定されている画像表示領域２３２は、ＣＣＤ２２Ａにより取り込まれている被写体（２人のユーザ）の動画像が表示されている。
【０１１０】
従って、この例においては、２人のユーザは、お題表示領域２３１に表示されている「アイドルソング」のお題から連想されるポーズや表情を創造し、そのポーズや表情により撮影を行う。複数人からなるグループで撮影する場合、お題から連想されるポーズや表情について話し合いなどが行われるため、個々のユーザは、グループで撮影したことによる連帯感を得ることができる。すなわち、お題を提供することが、コミュニケーションを図るきっかけを提供することになり、より面白みのある撮影が行われることが期待できる。
【０１１１】
画像表示領域２３２の直左方には、ＣＣＤ２２Ａ（上のカメラ）から撮影が行われることが表示されている。この表示は、ＣＣＤ２２Ａによる撮影が終了されたとき切り替えられ、次に、ＣＣＤ２４Ａにより撮影が行われることが表示される。
【０１１２】
撮影画面の右方に表示される撮影回数表示領域２３３には、そのとき行われている撮影が何回目の撮影であるかが表示される。図１５の例においては、撮影処理全体で最大１２回の撮影を行うことができ、そのうちの１回目の撮影であることが点滅（図においては斜線）により表されている。
【０１１３】
また、説明表示領域２１３には、リモートコントローラ６６の赤ボタンを操作することで撮影を開始させることができることが表示されており、制限時間表示領域２１４には、撮影に対して設定されている制限時間が残り「００９秒」とされている。
【０１１４】
例えば、リモートコントローラ６６の赤ボタンが操作され、撮影を開始することが指示された場合、また、残りの制限時間が０秒になった場合、ＣＰＵ１３１は、ステップＳ１９において、ＣＣＤ２２Ａ（上カメラ）を制御し、撮影を行う。
【０１１５】
例えば、撮影が行われる直前には、「５，４，３，２，１」などのカウントダウンを表すカウントダウン画像２３４が、図１６に示されるように画像表示領域２３２と撮影回数表示領域２３３の間に表示され、その表示が「０」になったとき、撮影が行われる。例えば、撮影が行われる瞬間には、カウントダウン画像２３４は、図１７に示されるような「ＳＨＯＴ」の文字が中央に表される画像に切り替わる。撮影され、得られた画像データは、ＲＡＭ１３３や記憶部１３６に保存される。
【０１１６】
ステップＳ１９においてＣＣＤ２２Ａにより撮影を行った後、ＣＰＵ１３１は、ステップＳ２０に進み、次に、ＣＣＤ２４Ａ（下カメラ）により撮影を行う。すなわち、図１５に示される撮影画面のうち、画像表示領域２３２に表示される画像は、ＣＣＤ２４Ａにより取り込まれている動画像に切り換えられるとともに、画面の左方に表示される、次に撮影が行われるカメラの案内も、ＣＣＤ２４Ａにより撮影が行われることを案内する「下のカメラで撮るよ」の表示に切り換えられる。なお、１つのお題に対して、ＣＣＤ２２ＡとＣＣＤ２４Ａ（上カメラと下カメラ）によりそれぞれ撮影が行われるため、お題表示領域２３１には、図１５と同様に「アイドルソング」が表示される。
【０１１７】
カウントダウン画像２３４を表示し、ＣＣＤ２４Ａにより撮影した後、ＣＰＵ１３１は、ステップＳ２１に進み、所定の回数以上撮影が行われたか否かを判定する。例えば、ＣＣＤ２２Ａ，２４Ａによるそれぞれの撮影を１回として、合計６回などの所定の回数以上撮影を行ったユーザは、それ以降の撮影を行わずに、撮影処理を終了させることができる。
【０１１８】
ＣＰＵ１３１は、ステップＳ２１において、所定の回数以上、撮影が行われていないと判定した場合、ステップＳ２２に進み、ＣＣＤ２２ＡとＣＣＤ２４Ａによる撮影結果の画像を撮影用モニタ２１に表示する。
【０１１９】
図１８は、ステップＳ２２において表示される画面の例を示す図である。
【０１２０】
図１８に示される表示例においては、画面の上方に「うまく撮れたかな？あとで落書きもしてね！」のメッセージが表示されており、その直下に撮影結果の画像が表示されている。例えば、画像表示領域２４１にはＣＣＤ２２Ａにより撮影された画像が表示され、その右隣の画像表示領域２４２にはＣＣＤ２４Ａにより撮影された画像が表示される。
【０１２１】
また、図１８に示される画面は、２回の撮影（１つ目のお題に対してＣＣＤ２２ＡとＣＣＤ２４Ａによりそれぞれの撮影）が行われた直後の表示例とされており、撮影回数表示領域２３３には、１回目の撮影であることを表す画像（１ＳＨＯＴ）と２回目の撮影であることを表す画像（２ＳＨＯＴ）の上に１本の斜線が表示され、その撮影が既に終了されていることが示されている。また、次の撮影が３回目の撮影となることが点滅（図中では複数の斜線）により表されている。
【０１２２】
撮影結果の表示画面においては、ユーザがお題撮影を続けるか、または、お題撮影を終了し、ノーマル撮影モードにより撮影を続けるかを選択できるようになされており、その選択の説明が説明表示領域２１３に表示される。図１８の説明表示領域２１３には、リモートコントローラ６６の赤ボタンを操作することにより、お題撮影を続けることができることが表示されており、青ボタンを操作することにより、お題撮影を終了し、ノーマル撮影モードにより撮影を続けることができることが表示されている。
【０１２３】
ステップＳ２３において、ＣＰＵ１３１は、お題撮影の続行が指示されたか否かを判定し、リモートコントローラ６６の青ボタンが操作されたため、ノーマル撮影モードにより撮影を続行することが指示された、すなわち、お題撮影の続行が指示されていないと判定した場合、後述するようにしてノーマル撮影モードにより撮影を続行する。一方、撮影結果の画面において、リモートコントローラ６６の赤ボタンが操作されたため、お題撮影の続行が指示されたと判定した場合、ＣＰＵ１３１は、ステップＳ１７に戻り、それ以降の処理を繰り返し実行する。
【０１２４】
すなわち、ＣＣＤ２２ＡとＣＣＤ２４Ａによる撮影毎に、それまでに提示されたお題とは異なるお題が選択され、ユーザに提示される。ユーザは、提示されたお題から連想されるポーズや表情で繰り返し撮影する。
【０１２５】
ステップＳ２１において、所定の回数以上撮影が行われたと判定した場合、ＣＰＵ１３１は、ステップＳ２４に進み、その直前で行われた撮影の撮影結果を表示した後、撮影を終了するか否かを選択する選択画面を撮影用モニタ２１に表示させる。
【０１２６】
図１９は、ステップＳ２４において表示される選択画面の例を示す図である。
【０１２７】
図１９の表示例においては、画面の上方に「本当に撮影を終了する？」のメッセージが表示され、その下に、撮影を終了し、落書きを施す画像を選択する操作に進むとき操作される選択ボタン２５１と、ノーマル撮影モードにより撮影を続行するとき操作される選択ボタン２５２が表示されている。
【０１２８】
また、説明表示領域２１３には、選択ボタン２５１または選択ボタン２５２の選択操作についての説明が表示されており、ユーザは、その説明に従って、リモートコントローラ６６によりカーソル２５３を移動させ、いずれかのボタンを操作する。なお、図１９に示される画面は、６回目の撮影が終了された直後に表示されたものであることが撮影回数表示領域２３３に示されており、また、制限時間表示領域２１４には、撮影の残り時間が「１７４秒」であることが示されている。
【０１２９】
ＣＰＵ１３１は、ステップＳ２５において、撮影を終了することが選択されたか否かを判定し、図１９の選択ボタン２５２が操作されたため、ノーマル撮影モードによる撮影を続行することが選択されたと判定した場合、後述するようにノーマル撮影モードにより撮影を続行する。一方、ステップＳ２５において、選択ボタン２５１が操作され、撮影を終了することが選択されたと判定した場合、ＣＰＵ１３１は、撮影結果の画像の中から、落書き対象とする画像をユーザに選択させるべく、ステップＳ２６に進み、画像の選択画面を表示する。
【０１３０】
図２０は、ステップＳ２６において表示される画面の例を示す図である。
【０１３１】
ユーザは、図２０に示される画面において、一覧表示（サムネイル表示）される画像の中から、好みのものを拡大して表示させ、拡大表示させた画像の明るさを調整することができる。
【０１３２】
例えば、画面のほぼ左半分に設定される一覧表示領域２６１には、お題撮影、またはノーマル撮影により保存された画像が一覧表示され、画面の右半分に設定される拡大表示領域２６２には、一覧表示されているものの中からカーソル２６３により選択されている画像が拡大表示される。
【０１３３】
図２０の例においては、一覧表示領域２６１の左上に表示されている画像Ｇ１１がカーソル２６３により選択され、その画像Ｇ１１が、拡大表示領域２６２に拡大表示されている。
【０１３４】
ユーザは、説明表示領域２１３に表示される説明に従って、リモートコントローラ６６によりカーソル２６３を上下左右に移動させ、拡大表示領域２６２に表示される画像を切り換える。また、説明表示領域２１３には、赤ボタンを押下することにより、カーソル２６３により選択されている画像（拡大表示領域２６２に拡大表示されている画像）を、明るさを調節する画像として選択できることが表示されている。
【０１３５】
ユーザは、画像の選択と、選択した画像の明るさを調節する操作を繰り返した後、一覧表示領域２６１の下に表示されている「全部決まったらここを選択して赤ボタンを押してね！」のメッセージが表示されている選択終了ボタン２６４をカーソル２６３により選択されている状態とし、続けて、リモートコントローラ６６の赤ボタンを操作することで、画像の選択を終了することができる。
【０１３６】
なお、ユーザが明るさを調整し、落書きする１つの画像を選択したとき、一覧表示領域２６１に表示されるその画像には、既に選択されたことを表す情報（以下、適宜、選択済み情報と称する）が付加される。図２０の例においては、一覧表示領域２６１の左上に表示されている画像、および、その画像の右下に表示されている画像のそれぞれの直下には、選択済み情報としての「シールにする」の文字が付加されている。
【０１３７】
なお、選択済み情報として、チェックされたことを表す星形などの所定の図形が画像上に表示されるようにしてもよいし、所定の色が画像全体に付加されるようにしてもよい。落書き対象の画像として選択された画像に選択済み情報が付加されるため、ユーザは、既に選択した画像を直感的に認識することができる。
【０１３８】
また、明るさが既に調整された画像は、調整後の明るさで一覧表示領域２６１に表示される。
【０１３９】
なお、図２０に示される落書き対象画像の選択画面において、サムネイル表示されているものの中から選択された画像のお題（撮影するときに提示されていたお題）が、拡大表示されている画像の近傍に表示されるようにしてもよい。これにより、自らがとった撮影ポーズとお題を改めて見比べさせることになるため、ユーザに撮影時の状態を思い出させ、さらなるユーザ達の盛り上がりが期待できる。
【０１４０】
図９の説明に戻り、ステップＳ２７において、ＣＰＵ１３１は、リモートコントローラ６６からの出力に基づいて、一覧表示領域２６１に表示されている画像の中から、明るさを調整する画像が選択されたか否かを判定し、選択されたと判定した場合、ステップＳ２８に進む。
【０１４１】
ＣＰＵ１３１は、ステップＳ２８において、図２０に示される画面で選択された画像の明るさを調整する調整画面を撮影用モニタ２１に表示させる。
【０１４２】
図２１は、明るさの調整画面の表示例を示す図である。
【０１４３】
図２１においては、画面の上方に「明るさを調整してね」のメッセージが表示されており、その下に設けられている画像表示領域２７１に、明るさ調整の対象の画像として、図２０の選択画面において選択された画像Ｇ１１が表示されている。
【０１４４】
ユーザは、輪郭選択領域２７２に表示されている、輪郭を強調させるように補正する「くっきりタイプ」、輪郭をぼかし処理する「ぼんやりタイプ」、および、「くっきりタイプ」と「ぼんやりタイプ」の中間のレベルで輪郭を補正する「ミックスタイプ」の中から、被写体の輪郭のぼかしの度合いを好みに応じて選択することができる。
【０１４５】
輪郭選択領域２７２の直下には、明るさ調整領域２７３が表示されており、図２１に示される例においては、５段階の明るさから選択可能とされている。ユーザは、説明表示領域２１３に表示されている説明に従って、リモートコントローラ６６の上下ボタンにより選択バー２７３Ａの位置を上下に移動させ、画像表示領域２７１に表示されている画像の明るさ（明度）を調整する。また、明るさの段階を直感的に認識できるように、それぞれの明るさの段階に応じて「超白飛び」、「白飛び」、「美白」が表示されている。なお、制限時間表示領域２１４には、明るさ調整の残り時間が「０１６秒」であることが表示されている。
【０１４６】
図９の説明に戻り、ステップＳ２９において、ＣＰＵ１３１は、画像の明るさ調整が終了されたか否かを判定し、終了されていないと判定した場合、ステップＳ２８に戻り、調整画面を表示し続ける。
【０１４７】
一方、ステップＳ２９において、明るさの調整が終了されたと判定した場合、ＣＰＵ１３１は、ステップＳ３０に進み、次に、画像の選択が終了されたか否かを判定する。すなわち、図２１に示される調整画面で１つの画像の明るさが調整されたとき、撮影用モニタ２１の表示は、図２０の選択画面に切り替わり、それが複数回繰り返されたとき、選択終了ボタン２６４が押下可能となる。従って、ＣＰＵ１３１は、選択終了ボタン２６４が押下された場合、または、設定されている制限時間が経過した場合、画像の選択が終了されたと判定する。
【０１４８】
ＣＰＵ１３１は、ステップＳ３０において、画像の選択が終了したと判定したとき、ステップＳ３１に進み、１枚のシール紙１２１に印刷される、それぞれの画像の数や大きさを選択する分割数選択画面を表示する。
【０１４９】
図２２は、ステップＳ３１において表示される分割数選択画面の表示例を示す図である。
【０１５０】
図２２に示される例においては、画面の上方に「分割数を選んでね」のメッセージが表示されており、画面のほぼ中央には、分割数の種類（タイプ）を表すシール紙の画像Ｔ１乃至Ｔ４が並置して表示されている。
【０１５１】
ユーザは、説明表示領域２１３に表示される説明に従ってリモートコントローラ６６を操作し、左右ボタンの操作に連動して移動されるカーソル２８２により好みの分割数を選択する。図２２に示されるように、例えば、２種類の大きさにより１枚のシール紙１２１にそれぞれの画像が印刷される「混合分割」、全て同一の大きさで３０枚の画像が１枚のシール紙１２１に印刷される「３０分割」、全て同一の大きさで１８枚の画像が１枚のシール紙１２１に印刷される「１８分割」、および、全て同一の大きさで８枚の画像が１枚のシール紙１２１に印刷される「８分割」の分割数が予め用意されている。同様に、比較的大きな画像をシール紙１２１に印刷させることができるように、「２分割」や「４分割」などの分割数も適宜選択可能とされる。
【０１５２】
また、撮影したグループの人数に応じて、画像Ｔ１乃至Ｔ４の分割数のパターンが切り替わるようになされている。図２２に示される例においては、「２人用」、「３人用」、「多人数」の中から、カーソル２８１により選択されている人数に応じて、画像Ｔ１乃至Ｔ４の表示が切り替わるようになされている。
【０１５３】
ＣＰＵ１３１は、ステップＳ３２において、分割数の選択が終了されたか否かを判定し、終了されたと判定するまで、ステップＳ３１に戻り、分割数選択画面の表示を続行する。例えば、図２２の画面においてリモートコントローラ６６の赤ボタンが操作されたとき、または、制限時間が経過したとき、ＣＰＵ１３１は、ステップＳ３２において、分割数の選択が終了したと判定し、ステップＳ３３に進み、落書き空間７３への移動を案内する案内画面を撮影用モニタ２１に表示する。
【０１５４】
図２３は、ステップＳ３３において表示される案内画面の表示例を示す図である。
【０１５５】
例えば、案内画面には、筐体１１とその周囲を表す斜視画像とともに、白抜き矢印により、左側面１１ｃの前方を経由して落書き空間７３に移動することを案内する画像が表示される。また、図２３の例においては、「後ろにある「落書きスペース」に移動してね」のメッセージが画面の下方に表示され、画面の右方には、「忘れ物に注意！！」のメッセージが表示されている。
【０１５６】
なお、撮影処理が終了したにもかかわらず、写真シール自動販売機１を先に利用していた他のユーザのグループが、未だ落書き空間７３において画像の落書きを行っている場合（落書き空間７３に移動できない場合）、例えば、図２４に示されるような「前の人の落書きが終わるまでしばらく待っててね！」のメッセージが表示される。
【０１５７】
その後、撮影処理を終えたユーザは、落書き空間７３に移動し、撮影した画像の中から選択した画像の落書きを行う。
【０１５８】
ステップＳ１３において表示されるコース選択画面において、「初心者コース」が選択された場合、以上のようにして、撮影処理が進行される。一方、コース選択画面で初心者コースが選択されず、ステップＳ１４において、初心者コースが選択されていないと判定した場合、ＣＰＵ１３１は、ステップＳ３４に進み、「中級者コース」によりお題撮影を進行することが選択されたか否かを判定する。
【０１５９】
ＣＰＵ１３１は、ステップＳ３４において、中級者コースボタン２２２（図１３）が操作され、中級者コースによりお題撮影を進行することが選択されたと判定した場合、ステップＳ３５に進み、予め登録されているお題の中から、不作為に生成した乱数に基づいて所定のお題を選択し、選択したお題を、図２５に示されるような表示画面によりユーザに提示する。
【０１６０】
図２５に示される画面においては、画面の上方に「只今、お題決定中…」のメッセージが表示され、その下に、不作為に選択された６種類のお題が表示されている。例えば、第１のお題（最も上側に表示されているお題）から順に選択され、それぞれの欄に表示される。それぞれの欄における表示は、例えば、複数のお題の表示が高速で切り替わり、その中から選択された１つのお題が最終的に停止して表示されるようなものとされる。
【０１６１】
図２５の例においては、第１のお題として「食べちゃうゾ」、第２のお題として「アゴのせ」、第３のお題として「指輪こうかん」、第４のお題として「ビジュアル系」、第５のお題として「人気男優」、第６のお題として「お花見」が表示されている。
【０１６２】
このように、様々なジャンルから、統一性のない複数のお題が選択されることで、ユーザは、そのお題に適したポーズや表情を想像するのが困難となり、撮影自体にゲーム性が付加される。当然、ユーザが所定のジャンルを選択し、そのジャンルの中から、不作為に選択されたお題がユーザに提示されるようにしてもよい。
【０１６３】
お題の選択が終了したとき（図２５の表示画面において、第６のお題の表示が完了したとき）、ＣＰＵ１３１は、ステップＳ３６に進み、選択したお題の中から、その撮影回数に応じた所定のお題を表示し、撮影を開始する。
【０１６４】
すなわち、図２５に示されるお題が選択されている場合、１回目の撮影（ＣＣＤ２２ＡとＣＣＤ２４Ａによる撮影）においては、「食べちゃうゾ」のお題が表示されるため、ユーザは、そのお題から連想されるポーズや表情により撮影を行う。撮影は、上述した「初心者コース」の場合と同様に、始めに、ＣＣＤ２２Ａによる撮影がステップＳ３７において行われ、続いて、ＣＣＤ２４Ａによる撮影がステップＳ３８において行われる。
【０１６５】
なお、撮影画面は図１５に示される画面と同様であり、不作為に選択されたお題のうちの１つがお題表示領域２３１に表示される。また、撮影が行われる直前には、カウントダウン画像２３４（図１６）が表示され、撮影が行われる瞬間には、カウントダウン画像２３４（図１７）が表示される。
【０１６６】
ステップＳ３９において、ＣＰＵ１３１は、例えば、６回などの所定の回数以上撮影が行われたか否かを判定し、行われていないと判定した場合、ステップＳ４０に進み、図１８と同様の画面により、撮影結果の画像を表示する。
【０１６７】
ステップＳ４１において、ＣＰＵ１３１は、お題撮影の続行が指示されたか否かを判定し、撮影結果が表示される図１８の画面において、リモートコントローラ６６の青ボタンが操作されたため、ノーマル撮影モードにより撮影を続行することが指示されたと判定した場合、ノーマル撮影モードにより撮影を続行し、一方、リモートコントローラ６６の赤ボタンが操作されたため、お題撮影の続行が指示されたと判定した場合、ステップＳ３６に戻り、それ以降の処理を繰り返し実行する。
【０１６８】
すなわち、図２５に示される６種類のお題が選択されている場合、第１のお題に続けて、第２のお題として選択された「アゴのせ」が表示されるため、ユーザは、そのお題から連想されるポーズや表情により撮影を行う。
【０１６９】
それ以降、そのときの撮影回数に応じて、第３のお題として選択された「指輪こうかん」、第４のお題として選択された「ビジュアル系」、第５のお題として選択された「人気男優」、第６のお題として選択された「お花見」が順次表示されるため、ユーザは、それぞれのお題から連想されるポーズや表情により撮影を行う。
【０１７０】
そして、ステップＳ３９において、所定の回数以上撮影が行われたと判定した場合、ＣＰＵ１３１は、ステップＳ４２に進み、撮影を終了するか否かを選択する、図１９に示される選択画面を撮影用モニタ２１に表示させる。ステップＳ４３において、ＣＰＵ１３１は、図１９の選択ボタン２５２が操作されたため、ノーマル撮影モードによる撮影を続行することが選択されたと判定した場合、ノーマル撮影モードにより撮影を続行し、一方、選択ボタン２５１が操作されたため、撮影を終了することが選択されたと判定した場合、ステップＳ２６に進み、落書き対象とする画像を選択する選択画面を表示する。
【０１７１】
その後、上述した「初心者モード」の場合と同様に、落書きする所定の数の画像と、シール紙１２１の分割数が選択された後、続けて、落書き処理が開始される。
【０１７２】
一方、図１３に示されるコース選択画面で「上級者コース」が選択された場合、ＣＰＵ１３１は、ステップＳ３４において、「中級者コース」によりお題撮影を進行することが選択されていないと判定し、ステップＳ４４に進み、上級者コース用のものとして用意されているお題選択画面を撮影用モニタ２１に表示させる。
【０１７３】
図２６は、上級者コースを選択したときに表示される選択画面の例を示す図である。上述したように、上級者コースのお題撮影を選択した場合、ユーザは、予め登録されているお題の中から、好みのものを自ら選択することができる。
【０１７４】
例えば、選択画面の左上方には、お題の分類を選択する分類タブ２９２が表示されている。登録されているお題は、それぞれ分類毎に管理されており、ユーザは、１０種類の分類の中から好みの分類のタブを選択し、表示されるお題の一覧の中から、撮影に利用するお題をカーソル２９３により選択する。
【０１７５】
図２６の例においては、リモートコントローラ６６の左右ボタンの操作に連動して、分類が切り替えられることが分類タブ２９２の左右に表示されており、上下ボタンの操作に連動してカーソル２９３により選択されるお題が切り替えられることがお題の一覧の直左方に表示されている。また、図２６の例においては、第１の分類が選択され、その分類に属するお題が一覧表示されている。
【０１７６】
お題の一覧の右方には、お題から連想されるポーズや表情により撮影されたサンプル画像が表示されるサンプル画像表示領域２９４が設けられている。お題毎にサンプル画像が切り換えられるため、ユーザは、そのお題を利用した場合の、ポーズや表情の参考にすることができる。
【０１７７】
また、リモートコントローラ６６の赤ボタンが操作されたとき、そのときカーソル２９３により選択されているお題が、撮影に利用されるお題として決定されることが説明表示領域２９１に表示されており、その説明に従って選択されたお題が決定済みお題表示領域２９５に表示される。図２６の例においては、「宇宙人」のお題が、利用する第１のお題として既に選択されている。また、画面の下方には、「あと５コ選べるよ」のメッセージが表示され、最大６種類のお題が選択可能とされている。
【０１７８】
６種類のお題が選択されたとき、お題の一覧の直下に表示されている選択終了ボタン２９６がカーソル２９３により選択可能となり、選択終了ボタン２９６がカーソル２９３により選択された状態で、続けて、リモートコントローラ６６の赤ボタンが操作されたとき、お題の選択が終了される。
【０１７９】
このように、お題を自由に選択できるようにすることにより、例えば、複数人のグループに対して、どのお題を利用するかを相談させる機会を提供することになり、グループ間のコミュニケーションが必要となる、より面白みのある撮影を提供することができる。
【０１８０】
図１０の説明に戻り、ステップＳ４５において、ＣＰＵ１３１は、所定の数のお題が選択され、選択の終了が指示されたか否かを判定し、指示されていないと判定した場合、ステップＳ４４に戻り、選択画面の表示を続行する。一方、お題の選択の終了が指示されたと判定した場合、ＣＰＵ１３１は、ステップＳ３６に進み、上級者コースによるお題撮影を開始する。
【０１８１】
すなわち、上述した「中級コース」によるお題撮影の場合と同様の処理が実行され、画面に設けられているお題表示領域２３１に、図２６の選択画面において選択されたお題が順次表示され、ＣＣＤ２２ＡとＣＣＤ２４Ａにより撮影が行われる。
【０１８２】
所定の回数だけ撮影が行われ、撮影を終了することが指示されたとき、その後、落書き対象の画像の選択と、シール紙の分割数の選択が行われ、それらの選択が終了されたとき、撮影処理が終了される。
【０１８３】
なお、以上においては、撮影画面に設けられるお題表示領域２３１にお題が表示されるとしたが、例えば、図２７に示されるように、お題のみ（例えば、「宇宙人」）が画面の中央に短時間だけ表示され、その後、撮影画面が表示されるようにしてもよい。これにより、これから行われる撮影のお題を、より確実にユーザに確認させることができる。また、お題表示領域２３１に表示される文字によりお題が提供されるだけでなく、静止画像または動画像により、或いは、音声によりユーザにお題が提示されるようにしてもよい。
【０１８４】
次に、ステップＳ１２，Ｓ２３，Ｓ２５，Ｓ４１，Ｓ４３において、ノーマル撮影モードにより撮影を行うことが選択されたときの処理について説明する。例えば、ステップＳ１２において、好みのポーズや表情で撮影するノーマル撮影モードが選択されたとき、ＣＰＵ１３１は、図１１のステップＳ４６において、カメラ（ＣＣＤ２２ＡまたはＣＣＤ２４Ａ）の選択画面を撮影用モニタ２１に表示する。
【０１８５】
図２８は、ステップＳ４６において表示される選択画面の例を示す図である。
【０１８６】
図２８の選択画面においては、画面の上方に「自分でポーズを決めてね！アップと全身が選べるよ！準備ＯＫ？」のメッセージが表示され、その下に設けられているサンプル画像表示領域３０１に、そのとき選択されているカメラで撮影された画像のサンプル画像が表示されている。すなわち、ユーザが説明表示領域２１３に表示されている説明に従ってリモートコントローラ６６を操作し、撮影するカメラを切り換えた場合、その切り換えに連動して、サンプル画像表示領域３０１に表示されている画像が切り換えられる。
【０１８７】
従って、ユーザは、サンプル画像表示領域３０１に表示される画像を確認しながら、好みのカメラで撮影することができる。
【０１８８】
なお、説明表示領域２１３には、リモートコントローラ６６の左右のボタンにより、ＣＣＤ２２ＡとＣＣＤ２４Ａからいずれかを選択できることが表示されており、左ボタンが操作された場合、ＣＣＤ２２Ａが選択され、右ボタンが操作された場合、ＣＣＤ２４Ａが選択される。また、赤ボタンを操作することで撮影を開始することができ、青ボタンを操作することで撮影を終了することができることが表示されている。なお、画像表示領域３０２乃至３０４には、既に撮影された画像が表示される。
【０１８９】
図１１の説明に戻り、ＣＰＵ１３１は、ステップＳ４７において、撮影の開始が指示されたか否かを判定し、指示されていないと判定した場合、ステップＳ４６に戻り、選択画面の表示を続行する。一方、ＣＰＵ１３１は、リモートコントローラ６６の赤ボタンが操作されたため、ステップＳ４７において、撮影の開始が指示されたと判定した場合、ステップＳ４８に進み、撮影を開始する。
【０１９０】
すなわち、ユーザの選択に従って、ＣＣＤ２２ＡまたはＣＣＤ２４Ａが駆動され、撮影が行われる。撮影結果の画像は、例えば、ステップＳ４９において、図１８と同様の画面が表示され、ユーザに提示される。
【０１９１】
ＣＰＵ１３１は、ステップＳ５０において、撮影を終了するか否かを判定し、撮影を終了しないと判定した場合、ステップＳ４６に戻り、それ以降の処理を繰り返し実行する。一方、ＣＰＵ１３１は、ステップＳ５０において、残りの撮影可能数が０になったため、或いは、ユーザにより撮影を終了することが指示されたため、撮影を終了すると判定した場合、ステップＳ２６に進む。その後、上述した、お題撮影が終了された場合と同様に、画像の選択、シール紙１２１の分割数の選択が行われ、その後、撮影処理が終了される。
【０１９２】
また、所定の回数だけお題撮影を行った後、ノーマル撮影モードによる撮影をも利用できるようにすることにより、ユーザは、お題撮影により撮影自体を楽しむことができるとともに、ノーマル撮影により、好みの構図の写真を撮影することができる。また、以上のように、お題撮影を行った後、ノーマル撮影モードにより自由に撮影できるようにすることにより、すなわち、ユーザの心境の変化に柔軟に対応できるようにすることにより、ユーザの幅広い満足度を得ることができる。
【０１９３】
次に、図２９のフローチャートを参照して、図７のステップＳ３において実行される落書き処理の詳細について説明する。
【０１９４】
ステップＳ６１において、ＣＰＵ１３１は、落書き対象の画像として選択された画像データを読み出し、落書き画面を落書き用モニタ５１−１および５１−２に表示させる。
【０１９５】
図３０は、落書き画面の表示例を示す図である。
【０１９６】
なお、図３０は、落書き用モニタ５１−１の表示例を示しており、同様の画面が落書き用モニタ５１−２にも表示される。
【０１９７】
例えば、落書き用モニタ５１−１には、落書き対象の画像が拡大して表示される落書き対象画像表示領域３３１が設けられ、ユーザは、サムネイル表示領域３３２にサムネイル（一覧）表示されている画像の中から、落書き対象画像表示領域３３１に表示させる画像を入力ペン５３−１により選択することができる。サムネイル表示領域３３２には、撮影処理において、落書き対象の画像として選択された画像が一覧表示されている。
【０１９８】
例えば、サムネイル表示領域３３２において選択された画像が、お題撮影により撮影された画像である場合、その撮影が行われたときにユーザに提示されていたお題（画像に対応するお題）が、落書き対象画像表示領域３３１の直上に設けられているお題表示領域３３３に表示される。
【０１９９】
図３０の例においては、落書き対象画像表示領域３３１に表示されている画像２１は、「豪華客船」のお題から連想されるポーズや表情により撮影されたものとされており、お題表示領域３３３には「豪華客船」の文字が表示されている。この表示を確認することで、ユーザは、表示されている画像のお題を確認することができ、落書き対象画像に、そのお題と関係のある落書きを施すことができる。
【０２００】
落書き対象画像表示領域３３１の近傍には、落書きツールを選択するとき操作される各種のボタンが表示される。
【０２０１】
例えば、落書き対象画像に線や文字などを入力するための「ペンツール」を選択するとき操作されるペンメニュー３３４、落書き対象画像に所定のスタンプ画像を配置する「スタンプツール」を選択するとき操作されるスタンプメニュー３３５が表示される。
【０２０２】
スタンプメニュー３３５の最下欄には、落書き対象画像に対応するお題の文字を、落書きとして落書き対象画像に入力するとき操作されるお題目ボタン３３５Ａが設けられている。従って、「豪華客船」のお題が提示されて撮影された画像Ｇ２１が落書き対象画像として表示されているときに、このお題目ボタン３３５Ａが操作された場合、「豪華客船」の文字が落書き対象画像Ｇ２１の所定の位置に入力される。図３０の画像Ｇ２１の上方に表示されている「豪華客船」の文字は、お題目ボタン３３５Ａが操作されて入力されたものである。
【０２０３】
また、落書き画面には、「ペンツール」により入力される文字などの色を選択するとき操作される色選択メニュー３３６、１度入力した落書き等を消すための「消しゴムツール」を選択するとき操作される消しゴムメニュー３３７、被写体の背景部分に好みのテクスチャを配置する「背景ブラシツール」と、その範囲を選択するとき操作される範囲調整メニュー３３８、および、「ペンツール」の太さを選択するとき操作される太さメニュー３３９が表示される。
【０２０４】
さらに、落書き画面には、落書き対象画像表示領域３３１に表示されている画像の表示方向（縦方向、横方向）を切り換えるとき操作される切り換えボタン３５１、直前に入力した落書きを取り消すとき操作されるやり直しボタン３５２、入力した落書きを全て取り消すとき操作されるやり直しボタン３５３が表示される。さらに、落書き用モニタ５１−１の右下には、落書き処理を終了し、印刷を開始するとき操作される終了ボタン３５４が表示される。
【０２０５】
図２９の説明に戻り、落書き画面において選択されたツールに基づく落書きがタッチパネル９４−１，９４−２を介して入力されたとき、ＣＰＵ１３１は、ステップＳ６２において、ユーザからの入力に応じて、落書き対象として選択されている画像を落書きする。例えば、所定のペンツールがペンメニュー３３４から選択され、文字が落書き対象画像に入力されたとき、ＣＰＵ１３１は、入力された文字に対応する画像を落書き対象画像に重畳して表示させる。
【０２０６】
ＣＰＵ１３１は、ステップＳ６３において、落書き処理を終了するか否かを判定し、例えば、終了ボタン３５４が操作されていないため、落書き処理を終了しないと判定した場合、ステップＳ６２に戻り、以上の処理を繰り返し実行する。一方、終了ボタン３５４が操作された場合、または、予め設定されている制限時間が終了した場合、ＣＰＵ１３１は、ステップＳ６３において、落書き処理を終了すると判定し、処理を終了させる。
【０２０７】
落書き処理を終了したとき、ＣＰＵ１３１は、落書き用モニタ５１−１および５１−２に、印刷待ち空間７５に移動することを案内するメッセージを表示させる。ユーザは、表示されるメッセージに従って印刷待ち空間７５に移動し、シール取り出し口４１からシール紙が排出されてくるのを待機する。
【０２０８】
その後、処理は図７のステップＳ４に進み、以上のようにして落書きが入力された合成画像がシール紙１２１に印刷される。すなわち、制御装置９１により、落書きが入力された合成画像のデータがプリンタ部１１１に出力され、そのデータに基づいて、シール紙１２１に合成画像が印刷される。合成画像が印刷されたシール紙１２１は、シール取り出し口４１から排出される。
【０２０９】
図３１は、写真シール自動販売機１により印刷され、シール取り出し口４１に排出されたシール紙の例を示す図である。
【０２１０】
図３１に示されるように、シール紙３６１には、ユーザにより設定された分割数（４分割）に従って、文字や図形などの落書きが施された画像Ｇ３１乃至Ｇ３４が印刷される。
【０２１１】
なお、図３１の落書き画像において、被写体の画像（人物の画像）の周辺に、或いは、被写体の画像に一部重畳して示されている「コノヤロ」（画像Ｇ３３）、「スゴイ」（画像Ｇ３４）の文字、およびハート形や星形のスタンプ画像はユーザにより入力された落書き画像である。このように、ユーザは、好みの文字や画像を、撮影された画像に対して施すことができる。
【０２１２】
また、画像Ｇ３１の左上に表示されている「豪華客船」の文字、画像Ｇ３４の右上に表示されている「宇宙人」の文字は、それぞれの画像（撮影構図）のお題を表している。すなわち、ユーザは、画像Ｇ１および画像Ｇ３４を落書きするとき、お題目ボタン３３５Ａを操作し、その画像に対応するお題を入力している。
【０２１３】
また、お題が提示され、撮影された画像の近傍に、その画像に対応するお題が印刷されるようにしてもよい。図３１の例においては、画像Ｇ３１は、「豪華客船」のお題が提示されて撮影された画像とされているが、この場合、画像Ｇ３１の直下に設けられるお題印刷領域３６１には、「豪華客船」の文字が印刷される。同様に、「宇宙人」のお題に従って撮影された画像Ｇ３４の直下に設けられるお題印刷領域３６２には、「宇宙人」の文字が印刷される。
【０２１４】
このように、画像の近傍に、それに対応するお題が印刷されるようにすることにより、ユーザは、後に、このシール紙１２１を見ることで、それぞれの画像のお題を確認することができる。また、それを確認したユーザの間での、さらなる盛り上がりが期待できる。
【０２１５】
上述した落書き処理においては、例えば、落書き対象画像のお題に応じて落書きツール（背景ブラシ、ペン、スタンプ）が自動的に選択される機能が設けられるようにしてもよい。
【０２１６】
具体的には、「ＵＦＯ」のお題により撮影された画像が落書き対象画像とされている場合、例えば、ＵＦＯが出現できるようなシチュエーションを落書きにより演出できるような背景ブラシツール、宇宙人の血液のように、粘性のある模様を表す緑色のペンツール、或いは、様々な形状のＵＦＯの画像、怪光線を出射するＵＦＯの画像、ＵＦＯから宇宙人が降りてくる様子の画像、連続する同一のＵＦＯの画像を入力できるスタンプツールが、デフォルトの落書きツールとして選択される。
【０２１７】
また、印刷時の色補正において、撮影画像と、ユーザが落書き処理により入力した落書き画像の層を、それぞれ異なる層により管理し、層毎に補正量を制御できるようにしてもよい。
【０２１８】
例えば、撮影画像の層に対しては、肌色領域の色がいわゆる記憶色の肌色に近づくように補正が施され、一方、落書き画像の層の、肌色領域に重畳して印刷される領域には、撮影画像の層に対して施された補正と逆の補正が施されるように、それぞれの層の補正が制御される。
【０２１９】
これにより、撮影画像と落書き画像を同一の層で管理し、両方の画像に同一の補正を加える場合に較べて、それぞれの層の色を最適なものとすることができ、それらを合成した印刷されたシール紙の発色を最適なものとすることができる。
【０２２０】
【発明の効果】
本発明によれば、面白みのある撮影を提供することができる。
【０２２１】
また、本発明によれば、グループ間でコミュニケーションをとるきっかけを提供し、グループ間での撮影を、より面白みのあるのものにすることができる。
【図面の簡単な説明】
【図１】本発明を適用した画像印刷装置の外観の例を示す斜視図である。
【図２】本発明を適用した画像印刷装置の他の外観の例を示す斜視図である。
【図３】図１の画像印刷装置の配置の例を左側方から示す図である。
【図４】図１の画像印刷装置の配置の例を上方から示す図である。
【図５】図１の画像印刷装置の構成例を示すブロック図である。
【図６】図５の制御装置の構成例を示すブロック図である。
【図７】画像印刷装置の顧客応対処理を説明するフローチャートである。
【図８】図７のステップＳ２において実行される撮影処理の詳細を説明するフローチャートである。
【図９】図７のステップＳ２において実行される撮影処理の詳細を説明する、図８に続くフローチャートである。
【図１０】図７のステップＳ２において実行される撮影処理の詳細を説明する、図８に続くフローチャートである。
【図１１】図７のステップＳ２において実行される撮影処理の詳細を説明する、図８に続くフローチャートである。
【図１２】図８のステップＳ１１において表示される撮影用モニタの表示例を示す図である。
【図１３】図８のステップＳ１３において表示される撮影用モニタの表示例を示す図である。
【図１４】図８のステップＳ１５において表示される撮影用モニタの表示例を示す図である。
【図１５】図８のステップＳ１８において表示される撮影用モニタの表示例を示す図である。
【図１６】図８のステップＳ１９において表示される撮影用モニタの表示例を示す図である。
【図１７】図８のステップＳ１９において表示される撮影用モニタの他の表示例を示す図である。
【図１８】図８のステップＳ２２において表示される撮影用モニタの表示例を示す図である。
【図１９】図８のステップＳ２４において表示される撮影用モニタの表示例を示す図である。
【図２０】図９のステップＳ２６において表示される撮影用モニタの表示例を示す図である。
【図２１】図９のステップＳ２８において表示される撮影用モニタの表示例を示す図である。
【図２２】図９のステップＳ３１において表示される撮影用モニタの表示例を示す図である。
【図２３】図９のステップＳ３３において表示される撮影用モニタの表示例を示す図である。
【図２４】図９のステップＳ３３において表示される撮影用モニタの表示例を示す図である。
【図２５】図１０のステップＳ３５において表示される撮影用モニタの表示例を示す図である。
【図２６】図１０のステップＳ４４において表示される撮影用モニタの表示例を示す図である。
【図２７】撮影用モニタの表示例を示す図である。
【図２８】図１１のステップＳ４６において表示される撮影用モニタの表示例を示す図である。
【図２９】図７のステップＳ３において実行される落書き処理の詳細を説明するフローチャートである。
【図３０】図２９のステップＳ６１において表示される落書き画面の表示例を示す図である。
【図３１】シール紙の例を示す図である。
【符号の説明】
１　写真シール自動販売機
２１　撮影用モニタ
２２　撮影部
２４　撮影部
４１　シール取り出し口
５１−１，５１−２　落書き用モニタ
９１　制御装置
９６　シール紙ユニット
【図１】
2004077582.tif 000003
【図２】
2004077582.tif 000004
【図３】
2004077582.tif 000005
【図４】
2004077582.tif 000006
【図５】
2004077582.tif 000007
【図６】
2004077582.tif 000008
【図７】
2004077582.tif 000009
【図８】
2004077582.tif 000010
【図９】
2004077582.tif 000011
【図１０】
2004077582.tif 000012
【図１１】
2004077582.tif 000013
【図１２】
2004077582.tif 000014
【図１３】
2004077582.tif 000015
【図１４】
2004077582.tif 000016
【図１５】
2004077582.tif 000017
【図１６】
2004077582.tif 000018
【図１７】
2004077582.tif 000019
【図１８】
2004077582.tif 000020
【図１９】
2004077582.tif 000021
【図２０】
2004077582.tif 000022
【図２１】
2004077582.tif 000023
【図２２】
2004077582.tif 000024
【図２３】
2004077582.tif 000025
【図２４】
2004077582.tif 000026
【図２５】
2004077582.tif 000027
【図２６】
2004077582.tif 000028
【図２７】
2004077582.tif 000029
【図２８】
2004077582.tif 000030
【図２９】
2004077582.tif 000031
【図３０】
2004077582.tif 000032
【図３１】
2004077582.tif 000033